(57)【要約】【課題】  回転軸の軸線方向に薄型化が図れると共に、スイッチ切換時に違和感のないクリック感触が得られるスイッチ付きの可変抵抗器を提供する。【解決手段】  回転軸２の回転に伴って回転するクリック部材の係合部１７ｃ、１７ｄと係脱してクリック感触を生起するクリック用凸部４ｄ、４ｅと、第１の摺動子１４が摺接する抵抗体パターン６が形成された抵抗基板５と、回転軸２の回転末端近傍で動作するロータリースイッチとを備え、ロータリースイッチは、固定接点１１が形成された接点基板１０と、回転軸２の回転に伴って回転する第２の摺動子１５とからなり、回転軸２を回転させると、第２の摺動子１５が接点基板１０上を摺動してスイッチの切換が行われると共に、クリック部材の係合部１７ｃ、１７ｄがクリック用凸部４ｄ、４ｅと係脱してスイッチ切換時のクリック感触が生起されるようにした。【選択図】        図２
2006173570.tif 000002
【特許請求の範囲】
【請求項１】
回転操作される回転軸と、この回転軸を回転可能に保持するハウジングと、前記回転軸の回転に伴って回転するクリック部材及び第１の摺動子と、前記クリック部材に設けられた係合部と係脱してクリック感触を生起するクリック用凸部と、前記第１の摺動子が摺接する抵抗体パターンが形成された抵抗基板と、前記回転軸の回転末端近傍で動作するロータリースイッチとを備え、前記ロータリースイッチは、固定接点が形成された接点基板と、前記回転軸の回転に伴って回転する第２の摺動子とからなり、前記回転軸を回転させると、前記第２の摺動子が前記接点基板上を摺動してスイッチの切換が行われると共に、前記クリック部材の係合部が前記クリック用凸部と係脱してスイッチ切換時のクリック感触が生起されるようにしたことを特徴とするスイッチ付き可変抵抗器。
【請求項２】
前記クリック部材は、前記回転軸と共に回転可能なクリック板と板ばねからなり、前記クリック板に前記係合部を突出形成し、該クリック板を前記板ばねにより軸線方向に弾性付勢させたことを特徴とする請求項１記載のスイッチ付き可変抵抗器。
【請求項３】
前記クリック板の前記係合部及びこれと係脱する前記クリック用凸部を各々複数個設け、前記回転軸の回転時に各々複数個の前記係合部と前記クリック用凸部とが同時に係脱するようにしたことを特徴とする請求項１、又は２記載のスイッチ付き可変抵抗器。
【請求項４】
複数個の前記係合部及び前記クリック用凸部は、各々前記回転軸の回転中心から径方向の異なる位置に設けたことを特徴とする請求項３記載のスイッチ付き可変抵抗器。
【請求項５】
前記クリック部材は、前記回転軸と共に回転可能なクリック用板ばねからなり、該クリック用板ばねに前記係合部を突出形成し、該クリック用板ばねを軸線方向に弾性付勢させたことを特徴とする請求項１記載のスイッチ付き可変抵抗器。
【請求項６】
前記抵抗基板を一体的に埋設した保持部材を有し、この保持部材の一面側に前記抵抗体パターンが露出していると共に、これとは対向する他面側に前記クリック用凸部が一体に形成されていることを特徴とする請求項１乃至５の何れかに記載のスイッチ付き可変抵抗器。
【請求項７】
前記回転軸と共に回転する摺動子受けを有し、前記第１の摺動子と前記第２の摺動子が前記摺動子受けの一面側と他面側に設けられていると共に、前記抵抗基板と前記接点基板とが、前記摺動子受けを介して対向して設けられていることを特徴とする請求項１乃至６の何れかに記載のスイッチ付き可変抵抗器。
【請求項８】
前記第１の摺動子と前記第２の摺動子が、同一形状からなる共通部品で形成されていることを特徴とする請求項１乃至７の何れかに記載のスイッチ付き可変抵抗器。
【請求項９】
前記回転軸及び前記ハウジングには、前記回転軸が所定の角度回転した時に、互いに当接してそれ以上の回転を規制するストッパー部が設けられており、これらのストッパー部の突部形状を、基部から先端側に拡開する扇状に形成し、これらの当接面を、前記回転軸の径方向の中心線に対して角度を持って係合させたことを特徴とする請求項１乃至８の何れかに記載のスイッチ付き可変抵抗器。
【発明の詳細な説明】
【技術分野】
【０００１】
本発明は、小型化が可能で回転操作時にクリック感触を伴ったスイッチ付きの可変抵抗器の構造に関する。
【背景技術】
【０００２】
従来のスイッチ付き可変抵抗器の構造としては、操作軸を初期位置から所定量回転させるとスイッチがオフからオン状態へと切換えられ、その際クリック感触を生起させると共に、操作軸をさらに回転させると、設定抵抗値が変動するようにした構成のものが知られている（例えば、特許文献１参照）。
【０００３】
この従来のスイッチ付き可変抵抗器の構造を図２９〜図３１に示す。図２９は従来のスイッチ付き可変抵抗器の断面図、図３０は従来のスイッチ付き可変抵抗器に組み込んだスイッチ部の平面図、図３１はクリック機構の動作説明図である。
【０００４】
図において、従来のスイッチ付き可変抵抗器は、軸受５１に回動自在に支持された操作軸５２の軸廻りに、クリック機構５３や、スイッチユニット５４や、抵抗器ユニット５５等を備えて構成されており、スイッチユニット５４によって電源のオン・オフ切換えが行われ、かつオン状態のとき抵抗器ユニット５５によって設定抵抗値の調整が行われ、さらにクリック機構５３が操作時にクリック感を生起するようになっている。
【０００５】
上記クリック機構５３は、操作軸５２と一体に回動するクリック板５６と、ケースの一部である第１の筐体５７に保持された板ばね５８とによって構成されており、クリック板５６の表面には、周方向に沿って、平坦部５９を横切る突起部６０と、所定ピッチの多数の係合突起６１ａ，６１ｂ，６１ｃ，……とが形成されている。一方、板ばね５８には膨出部６２が形成されていて、この膨出部６２がクリック板５６の該表面に弾接させてあるので、操作軸５２の回動に伴い、膨出部６２が突起部６０や係合突起６１ａ，６１ｂ，……に係脱してクリック感が生起される。
【０００６】
そして、操作軸５２が初期位置（回転角０度）にあるとき膨出部６２が平坦部５９のＡ点に弾接し、操作軸５２を初期位置から所定量順回転させてスイッチユニット５４がオフからオン状態へと切換えられるとき膨出部６２が突起部６０に係脱するように設定してあるので、この膨出部６２は、スイッチユニット５４がオン状態へと切換えられた後に操作軸５２をさらに順回転させることにより係合突起６１ａ，６１ｂ，……と順次係脱していき、よってオン状態における操作軸５２の回転操作量がクリック感として手指で感得できる。
【０００７】
また、上記スイッチユニット５４は、操作軸５２と一体に回動する駆動体６３と、この駆動体６３により駆動される絶縁カム６４と、一対の端子６５，６６を取着し、ケースの一部である第２の筐体６７に一体化された絶縁基板６８と、一方の端子６５に常時接触し他方の端子６６に接離する可動接片６９と、一端が絶縁カム６４に係止され他端が可動接片６９に係止されている反転用の線ばね７０と、絶縁基板６８に鳩目がしめにより取着されて端子６５上に可動接片６９と絶縁カム６４とを挟み込み、これら両者６９，６４を回動可能に支持している支持軸７１とによって構成されている。
【０００８】
そして、操作軸５２が初期位置にあるとき、絶縁カム６４は図３０の状態に保持されていて、線ばね７０を介して絶縁カム６４に引っ張られる可動接片６９は固定接点たる端子６６から離間した状態に保たれているので、スイッチユニット５４はオフ状態となっているが、操作軸５２を初期位置から順回転させていくと、駆動体６３が連動して回転するので、絶縁カム６４が図３０において反時計回り方向に回転していく。その結果、絶縁カム６４が所定量回転した時点で、線ばね７０の弾発力により可動接片６９がスナップ動作を行い、時計回り方向に回転した可動接片６９が端子６６に当接し、よって両端子６５，６６が導通されてスイッチユニット５４はオフからオン状態へと切換えられるようになっている。
【０００９】
また、スイッチユニット５４がオン状態にあるときに操作軸５２を逆回転させれば、上記と逆の動作が行われて可動接片６９が端子６６から離間し、オフ状態に戻る。したがって、このスイッチユニット５４は、オン・オフ切換え時に可動接片６９のスナップ動作によるクリック感を生起するが、オン・オフ切換え時には上記したようにクリック板５６の突起部６０と板ばね５８の膨出部６２との係脱によるクリック感も生起されるので、操作者の手指にはこれらを合成した強いクリック感が感得されることになる。
【００１０】
【特許文献１】実用新案登録第２５８２８２４号
【発明の開示】
【発明が解決しようとする課題】
【００１１】
しかしながら、従来のスイッチ付き可変抵抗器においては、スイッチユニット５４の構造が複雑なため、操作軸の軸線方向の寸法が長くなり、小型化できないという問題があった。また、カム６４は線ばね７０で付勢されているため、操作軸５２を回してカム６４が回動したときにも、クリック感触が生じ、クリック板５６と板ばね５８で得られるクリック感触とタイミングがあわないと、不自然なクリック感触となる虞があった。
【００１２】
従って、本発明は上記した問題点を解決し、操作軸の軸線方向に薄型化が図れると共に、スイッチ切換時に違和感のないクリック感触が得られるスイッチ付きの可変抵抗器を提供することを目的とする。
【課題を解決するための手段】
【００１３】
上記課題を解決するために本発明では第１の解決手段として、回転操作される回転軸と、この回転軸を回転可能に保持するハウジングと、前記回転軸の回転に伴って回転するクリック部材及び第１の摺動子と、前記クリック部材に設けられた係合部と係脱してクリック感触を生起するクリック用凸部と、前記第１の摺動子が摺接する抵抗体パターンが形成された抵抗基板と、前記回転軸の回転末端近傍で動作するロータリースイッチとを備え、前記ロータリースイッチは、固定接点が形成された接点基板と、前記回転軸の回転に伴って回転する第２の摺動子とからなり、前記回転軸を回転させると、前記第２の摺動子が前記接点基板上を摺動してスイッチの切換が行われると共に、前記クリック部材の係合部が前記クリック用凸部と係脱してスイッチ切換時のクリック感触が生起されるようにした構成とした。
【００１４】
また、第２の解決手段として、前記クリック部材は、前記回転軸と共に回転可能なクリック板と板ばねからなり、前記クリック板に前記係合部を突出形成し、該クリック板を前記板ばねにより軸線方向に弾性付勢させた構成とした。
また、第３の解決手段として、前記クリック板の前記係合部及びこれと係脱する前記クリック用凸部を各々複数個設け、前記回転軸の回転時に各々複数個の前記係合部と前記クリック用凸部とが同時に係脱するようにした構成とした。
また、第４の解決手段として、複数個の前記係合部及び前記クリック用凸部は、各々前記回転軸の回転中心から径方向の異なる位置に設けた構成とした。
【００１５】
また、第５の解決手段として、前記クリック部材は、前記回転軸と共に回転可能なクリック用板ばねからなり、該クリック用板ばねに前記係合部を突出形成し、該クリック用板ばねを軸線方向に弾性付勢させた構成とした。
また、第６の解決手段として、前記抵抗基板を一体的に埋設した保持部材を有し、この保持部材の一面側に前記抵抗体パターンが露出していると共に、これとは対向する他面側に前記クリック用凸部が一体に形成されている構成とした。
また、第７の解決手段として、前記回転軸と共に回転する摺動子受けを有し、前記第１の摺動子と前記第２の摺動子が前記摺動子受けの一面側と他面側に設けられていると共に、前記抵抗基板と前記接点基板とが、前記摺動子受けを介して対向して設けられている構成とした。
また、第８の解決手段として、前記第１の摺動子と前記第２の摺動子が、同一形状からなる共通部品で形成されている構成とした。
また、第９の解決手段として、前記回転軸及び前記ハウジングには、前記回転軸が所定の角度回転した時に、互いに当接してそれ以上の回転を規制するストッパー部が設けられており、これらのストッパー部の突部形状を、基部から先端側に拡開する扇状に形成し、これらの当接面を、前記回転軸の径方向の中心線に対して角度を持って係合させた構成とした。
【発明の効果】
【００１６】
上述したように、本発明のスイッチ付き可変抵抗器は、回転操作される回転軸と、この回転軸を回転可能に保持するハウジングと、回転軸の回転に伴って回転するクリック部材及び第１の摺動子と、クリック部材に設けられた係合部と係脱してクリック感触を生起するクリック用凸部と、第１の摺動子が摺接する抵抗体パターンが形成された抵抗基板と、回転軸の回転末端近傍で動作するロータリースイッチとを備え、ロータリースイッチは、固定接点が形成された接点基板と、回転軸の回転に伴って回転する第２の摺動子とからなり、回転軸を回転させると、第２の摺動子が接点基板上を摺動してスイッチの切換が行われると共に、クリック部材の係合部がクリック用凸部と係脱してスイッチ切換時のクリック感触が生起されるようにしたことから、ロータリースイッチは接点基板と第２の摺動子とからなり、自身ではクリック感触を生起する構成を備えていないので、よって、クリック部材の係合部とクリック用凸部とから違和感のない良好なクリック感触を得ることができる。また、ロータリースイッチの構成が簡単となり薄型にできるため、可変抵抗器の軸線方向の小型化を図ることができる。
【００１７】
また、クリック部材は、回転軸と共に回転可能なクリック板と板ばねからなり、クリック板に係合部を突出形成し、該クリック板を板ばねにより軸線方向に弾性付勢させたことから、板ばねを変更することにより、クリック感触のバラエティー対応が容易に行える。
また、クリック板の係合部及びこれと係脱するクリック用凸部を各々複数個設け、回転軸の回転時に各々複数個の係合部とクリック用凸部とが同時に係脱するようにしたことから、板ばねを厚くすることなく、クリック感触を重く（重厚に）することができる。
また、複数個の係合部及びクリック用凸部は、各々回転軸の回転中心から径方向の異なる位置に設けたことから、回転軸が一回転する間に互いにぶつからないので、１８０度以上の回転角度のものにも対応が可能となる。
【００１８】
また、クリック部材は、回転軸と共に回転可能なクリック用板ばねからなり、該クリック用板ばねに係合部を突出形成し、該クリック用板ばねを軸線方向に弾性付勢させたことから、クリック部材を一部品で形成でき構造が簡易となり、安価化が図れる。
また、抵抗基板を一体的に埋設した保持部材を有し、この保持部材の一面側に抵抗体パターンが露出していると共に、これとは対向する他面側にクリック用凸部が一体に形成されていることから、抵抗基板とクリック用凸部とが同一部材に設けられているため、クリック感触を得るタイミングと抵抗値を変化させるタイミングの同期を取ることができ、高品質のスイッチ付き可変抵抗器が得られる。
また、回転軸と共に回転する摺動子受けを有し、第１の摺動子と第２の摺動子が摺動子受けの一面側と他面側に設けられていると共に、抵抗基板と接点基板とが、摺動子受けを介して対向して設けられていることから、第１と第２の摺動子の摺動子受けを共用できるので、より一層の小型化が可能となり、安価対応が図れる。
また、第１の摺動子と第２の摺動子が、同一形状からなる共通部品で形成されていることから、部品の共用化が図れ、安価となる。
また、回転軸及びハウジングには、回転軸が所定の角度回転した時に、互いに当接してそれ以上の回転を規制するストッパー部が設けられており、これらのストッパー部の突部形状を、基部から先端側に拡開する扇状に形成し、これらの当接面を、回転軸の径方向の中心線に対して角度を持って係合させたことから、ストッパー同士が角度を持って互いに食い込むようになり、ストッパーが外れにくくなるので、確実にストッパーを機能させることができ、小型化が可能となる。
【発明を実施するための最良の形態】
【００１９】
以下、本発明の実施の形態を図１乃至図１８に示す。図１は本発明の第１の実施例に係るスイッチ付き可変抵抗器を示す分解斜視図、図２は本発明の第１の実施例に係るスイッチ付き可変抵抗器を示す概略断面図、図３は図２の３−３線における断面図、図４は図２の４−４線における断面図、図５は本発明の第１の実施例に係るスイッチ付き可変抵抗器の回転軸と板ばねを示す正面図、図６は図５に示す回転軸の右側面図、図７は図５の左側面図、図８は図５の回転軸と板ばねを他の方向から見た部分説明図、図９は板ばねの載置部側から見た回転軸を示す斜視図、図１０は板ばねの弾性腕とクリック板の突出部との配置状態を示す分解斜視図、図１１は板ばねを示し（ａ）は平面図（ｂ）は側面図、図１２はクリック板を示し（ａ）は平面図（ｂ）は底面図、図１３は本発明の第１の実施例に係るスイッチ付き可変抵抗器の保持部材を示す右側面図、図１４は本発明の第１の実施例に係るスイッチ付き可変抵抗器のクリック機構を示す説明図、図１５は本発明の第１の実施例に係るスイッチ付き可変抵抗器の保持部材を示す左側面図、
図１６は本発明の第１の実施例に係るスイッチ付き可変抵抗器の接点基板を示す右側面図、図１７は本発明の第１の実施例に係るスイッチ付き可変抵抗器の摺動子受けと第１、第２の摺動子を示す正面図、図１８は図１７の右側面図である。
【００２０】
図において、本発明のスイッチ付き可変抵抗器は、軸受け１に回転可能に保持された回転軸２の軸廻りに、クリック部と、可変抵抗器部と、スイッチ部が連設されて構成されており、スイッチ部によって、例えば、電源のオン／オフ切換えが行われ、スイッチ部が、例えば、オン状態の時、可変抵抗器部によって設定抵抗値の調整が行われ、さらに、クリック部によって操作時のクリック感触を生起するようになっている。
【００２１】
図１、図２に示すように、軸受け１は、合成樹脂等の絶縁材、あるいは亜鉛ダイキャスト等で形成されており、ハウジングの一部を構成し、中央に貫通孔が設けられた筒状部１ａを有し、この筒状部１ａに回転軸２が回転可能に保持されている。また、筒状部１ａの後端側には、略円形状の凹部１ｂが設けられており、この凹部１ｂに後述する回転軸２の基盤部２ｃが回転可能に収容されている。また、前記凹部１ｂの内周面の一端（本実施例では下端）には凹部１ｂ内に突出したストッパー部１ｃが形成されている。このストッパー部１ｃは、根元部側の基部から先端側（回転軸２側）に拡開した略扇状に形成されている（図４参照）。
【００２２】
また、図５〜図９に示すように、回転軸２は、アルミニウム、あるいは合成樹脂等からなり、前記筒状部１ａに保持される円柱状の軸部２ａと、この軸部２ａの先端に設けられた断面Ｄ字状の操作部２ｂと、軸部２ａの後端に設けられ前記軸受け１の凹部１ｂに収容される鍔状の基盤部２ｃと、この基盤部２ｃの後方に延出する断面が非円形状（本実施例では略矩形状）をした台座部２ｄと、この台座部２ｄよりもやや細長い角柱状からなる断面が非円形状の駆動部２ｅとを有している。
【００２３】
また、前記基盤部２ｃには、外周部の一端から軸部２ａの軸線方向と直交する方向（径方向）へ突出するストッパー部２ｆが設けられている。また、このストッパー部２ｆも前記軸受け１の凹部１ｂに形成されたストッパー部１ｃと同様に、根元部側（内周側）の基部から先端側（外周側）に拡開した略扇状に形成されている（図４、図６参照）。また、基盤部２ｃの一面側には、後述する板ばね３を載置する突状の段部からなる取付面２ｇが設けられている。
【００２４】
そして、図示はしないが、前記回転軸２が所定の角度回転した時に、前記ストッパー部２ｆが前記軸受け１の凹部１ｂに形成された前記ストッパー部１ｃと当接してそれ以上の回転を規制するものとなっている。この時、前記ストッパー部１ｃ、２ｆは、先端側の拡開部が互いの基部側に食い込む形となり、これらの当接面が前記回転軸２の径方向の中心線に対して互いに角度を持って係合（当接）するようになっている。
【００２５】
このように、前記ストッパー部１ｃ及び２ｆの突部形状を、基部から先端側に拡開する略扇状に形成して、これらの当接面を、前記回転軸２の径方向の中心線に対して互いに角度を持って係合させるようにしてあるので、前記ストッパー部１ｃ及び２ｆ同士が、角度を持って互いに食い込むようになり、ストッパーが外れにくくなるので、確実にストッパーを機能させることができ、小型化が可能な構造となっている。
【００２６】
また、図５、図７、図８に示すように、前記回転軸２の台座部２ｄの外側（外周）には、クリック部材の一部を構成する板ばね３が配置されている。この板ばね３は、図１１（ａ）、（ｂ）に示すように、弾性を有する金属板からなり、二重の略円環状をしており、中央に前記台座部２ｄに挿通される非円形状をした角孔３ａが設けられている。また、この角孔３ａの周縁部には環状の第１環状部３ｂが設けられ、この第１環状部３ｂの外周部に一対のスリット３ｃ、３ｃを介して対向する位置に一対の円弧状からなる弾性腕３ｄ、３ｄが設けられている。
この弾性腕３ｄは、両持ち状態で形成されており、その根元部は第１環状部３ｂに連結されたものとなっている。尚、一対の弾性腕３ｄ、３ｄは中心線に対して線対称に形成されており、これにより、板ばね３を１８０度回転させても回転軸２の台座部２ｄに取付け可能となっている。
【００２７】
また、前記第１環状部３ｂは平面状に形成されており、これに対して前記弾性腕３ｄは、前記スリット３ｃを介してその中央部が、若干曲げ起こされて湾曲された状態に形成されている。そして、前記板ばね３の角孔３ａが前記台座部２ｄに挿通されて取付けられる時には、前記第１環状部３ｂが基盤部２ｃの一面側に形成された前記取付面２ｇに載置されて位置決めされるものとなる。この時、前記弾性腕３ｄの中央部は、前記基盤部２ｃの後方に延出する台座部２ｄの延出方向へ向かって湾曲した状態で載置されている。
【００２８】
また、図２に示すように、前記回転軸２の基盤部２ｃの台座部２ｄには、板ばね３の後方に重なるようにクリック部材の一部を構成するクリック板１７が配設されている。このクリック板１７は、図１２（ａ）、（ｂ）に示すように、略円板状をしており、合成樹脂等の絶縁材で形成されている。このクリック板１７の中央には、前記台座部２ｄに挿通される非円形状をした角孔１７ａが設けられており、この角孔１７ａを挟んで対向する一面側の外周縁近傍には、一対の突起１７ｂ、１７ｂが設けられている。この一対の突起１７ｂ、１７ｂは、回転軸２の回転中心から径方向に等距離となる位置に設けられている。
【００２９】
また、前記クリック板１７の前記突起１７ｂが設けられた面の反対側である他面側には、前記一対の突起１７ｂ、１７ｂを結ぶ中心線と同一中心線上に位置して、前記角孔１７ａを挟んで一対の突出した係合部１７ｃ、１７ｄが設けられている。このうち一方の係合部１７ｃは、反対側の一面に設けられた前記突起１７ｂに対応する外周縁近傍に設けられており、他方の係合部１７ｄは該係合部１７ｃよりも前記角孔１７ａ寄りにずらして設けられている。すなわち、一対の前記係合部１７ｃ、１７ｄは、各々前記回転軸２の回転中心から径方向の異なる位置に設けられている。
【００３０】
前記クリック板１７が前記板ばね３と共に前記回転軸２の台座部２ｄに挿通されて回転軸２の軸線方向に移動可能に保持されており、両者でクリック部材を構成するものとなっている。この時、図１０に示すように、板ばね３の一対の弾性腕３ｄ、３ｄの中央部が、クリック板１７の一面側に形成された一対の突起１７ｂ、１７ｂと対向して配置され、弾性腕３ｄによって突起１７ｂが弾性付勢された状態で、板ばね３とクリック板１７が後述するハウジングの一部を構成する保持部材４に組み込まれるものとなっている。
【００３１】
尚、この場合に、クリック部材である前記板ばね３と前記クリック板１７は、ハウジングの保持部材４に組み込まれた際には、前記板ばね３の弾性腕３ｄが前記クリック板の突起１７ｂによって少し押し戻された状態となり、板ばね３は全体が平面状（平坦状）をした状態で配置されるものとなっている。また、この場合、弾性腕３ｄの後ろ側（図２の右側）には、弾性腕３ｄが突起１７ｂにより押圧された際に、弾性変位可能な空域Ｓが回転軸２の基盤部２ｃと台座部２ｄとの間に設けられている（図２参照）。
【００３２】
そして、前記回転軸２が回転操作された際に、前記台座部２ｄに挿通された板ばね３及びクリック板１７が回転軸２と共に回転して、該クリック板１７の他面側に形成された係合部１７ｃ、１７ｄが、後述する保持部材４に設けられたクリック用凸部４ｄ、４ｅと係脱することによりクリック板１７が軸線方向に移動し、この移動により突起１７ｂが板ばね３の弾性腕３ｄを押圧することにより板ばね３の弾性腕３ｄの弾性付勢力によって回転軸２が回転された際のクリック感触を生起させるものとなっている。尚、この場合、前記係合部１７ｃとクリック用凸部４ｄ、及び前記係合部１７ｄとクリック用凸部４ｅとが各々同時に係脱するようになっている。
【００３３】
また、前記軸受け１の後端には、ハウジングの一部を構成する、合成樹脂等の絶縁材から略矩形状に形成された保持部材４が係合されている。この保持部材４は、中央に前記回転軸２の駆動部２ｅが挿通される挿通孔４ａを有し、この挿通孔４ａを挟んで一面側とこれと対向して反対側に位置するする他面側にはそれぞれ円形状の収容凹部４ｂ、４ｃが設けられている。
【００３４】
また、前記保持部材４の中央部には、フェノール樹脂やエポキシ樹脂等の絶縁性の樹脂材からなる平板状の抵抗基板５がインサート成形等の方法で一体的に埋設されており、この保持部材４の一面側（本実施例では後方側）である前記収容凹部４ｂ内には、図１５に示すように、前記抵抗基板５に印刷形成されたカーボン等の導電性ペーストからなる抵抗体パターン６や、銀ペーストからなる導電体パターン７が露出して配設されている。また、前記保持部材４の下端側には、前記導電体パターン７及び前記抵抗体パターン６に接続され、前記抵抗基板５から導出された導電性の金属板からなる接続端子８及び９が突出して設けられている。
【００３５】
また、前記保持部材４の前記収容凹部４ｂと対向する他面側（本実施例では前方側）の前記収容凹部４ｃ内には、図１３、図１４に示すように、前記収容凹部４ｃの面から突出して形成されたクリック用凸部４ｄ、４ｅが一体に形成されている。このうち一方のクリック用凸部４ｄは、収容凹部４ｃの内周縁に隣設して設けられており、他方のクリック用凸部４ｃは該クリック用凸部４ｅよりも前記挿通孔４ａ寄りにずらして設けられている。すなわち、一対の前記クリック用凸部４ｄ、４ｅは、各々前記回転軸２の回転中心から径方向の異なる位置に設けられている。
【００３６】
このクリック用凸部４ｄ、４ｅは、前記回転軸２の台座部２ｄに取り付けられた、前記クリック板１７の他端面に設けられた一対の係合部１７ｃ、１７ｄと係脱して、前記回転軸２が回転された際のクリック感触を生起させるものとなっている。尚、この場合、前記係合部１７ｃとクリック用凸部４ｄ、及び前記係合部１７ｄとクリック用凸部４ｅとが各々同時に係脱するようになっている。
【００３７】
このように、前記クリック板１７の係合部１７ｃ、１７ｄ及びこれと係脱するクリック用凸部４ｄ、４ｅを各々２個設け、回転軸２の回転時に、各々２個の前記係合部１７ｃ、１７ｄとクリック用凸部４ｄ、４ｅとが同時に係脱するようにしたことから、板ばね３の一対の弾性腕３ｄを同じタイミングで撓ませることができるので、前記板ばね３を厚くすることなく、クリック感触を重く（重厚に）することができるものとなっている。
【００３８】
また、前記係合部１７ｃ、１７ｄ及びクリック用凸部４ｄ、４ｅを、各々前記回転軸２の回転中心から径方向の異なる位置に設けたことから、前記回転軸２が半回転（１８０度）した時には、前記係合部１７ｃとクリック用凸部４ｅ、及び前記係合部１７ｄとクリック用凸部４ｄとが径方向の異なる位置に位置することになり、回転軸２が一回転する間に互いにぶつからないので、１８０度以上の回転角度のものにも対応が可能となっている。
尚、係合部１７ｃ、１７ｄ及びクリック用凸部４ｄ、４ｅは、それぞれ合成樹脂からなるクリック板１７及び保持部材４に成形加工により一体に形成されていることから、これら係合部１７ｃ、１７ｄ及びクリック用凸部４ｄ、４ｅの位置は、成型金型により精度良く定められている。したがって、回転軸２が回転された際、係合部１７ｃとクリック用凸部４ｄとが係脱するタイミングと、係合部１７ｄとクリック用凸部４ｅとが係脱するタイミングとを合わせることができ、違和感のない重いクリック感触を得ることができる。
【００３９】
また、前記抵抗基板５がインサート成形された前記保持部材４の一面側に前記抵抗体パターン６を露出させると共に、これとは対向する他面側に前記クリック用凸部４ｄ、４ｅを一体に形成するようにしたので、前記抵抗基板５と前記クリック用凸部４ｄ、４ｅとが同一部材に設けられているため、クリック感触を得るタイミングと抵抗値を変化させるタイミングの同期を取ることができ、高品質のスイッチ付き可変抵抗器が得られるものとなっている。
【００４０】
また、この場合、前記クリック用凸部４ｄ、４ｅは、後述するロータリースイッチの接点基板１０に設けられた、固定接点１１の円弧状の接点パターン１１ａの起端部位置に対応して設けられており、前記クリック板１７の係合部１７ｃ、１７ｄが、該クリック用凸部４ｄ、４ｅを乗り越えてクリック感触が生起された際に、ロータリースイッチの第２の摺動子１５が接点パターン１１ａと導通してスイッチがオン状態となるように設定されている。この場合のクリック機構を図１４に示している。
【００４１】
また、本実施例では、前記クリック用凸部４ｄ、４ｅは左右の傾斜が同じ形状となっており、前記クリック板１７の係合部１７ｃ、１７ｄがこれを乗り越える場合には、行きと帰りで同じ感触が得られるようになっている。尚、図示はしていないが、前記保持部材４の前記収容凹部４ｃに、ロータリースイッチのオン／オフ用の前記クリック用凸部４ｄ、４ｅに続いて、Ｖ溝状のカム溝を連続して複数形成することにより、ロータリースイッチがオン後の可変抵抗器の回転時にも、適宜、クリック感触を生起させることができる。
【００４２】
また、前記保持部材４の後端には、ハウジングの一部を構成する、合成樹脂等の絶縁材から略矩形状に形成された接点基板１０が係合されている。この接点基板１０は、中央に前記回転軸２の駆動部２ｅが挿通される挿通孔１０ａを有し、この挿通孔１０ａの一面側には円形状の収容凹部１０ｂが設けられている。
【００４３】
また、前記接点基板１０の中央部には、導電性の金属板からなる固定接点１１がインサート成形等の方法で一体的に埋設されており、この接点基板１０の前記収容凹部１０ｂ内には、図１６に示すように、下方が開口した円弧状の接点パターン１１ａ、及び連続した円環状のコモンパターン１１ｂが露出して配設されている。また、前記接点基板１０の下端側には、前記接点パターン１１ａ及び前記コモンパターン１１ｂから導出された接続端子１２ａ及び１２ｂが突出して設けられている。
【００４４】
図１７及び図１８は、第１の摺動子１４、及び第２の摺動子１５がそれぞれ対向する面に取り付けられた摺動子受け１３を示している。この摺動子受け１３は、合成樹脂等の絶縁材からなり、中央に前記回転軸２の駆動部２ｅが挿通されて該回転軸２と一体的に回転可能に嵌合する断面が前記駆動部２ｅと同じ非円形状をした略矩形状の嵌合孔１３ａを有する軸部１３ｂと、この軸部１３ｂの中央に円盤状に設けられた円盤部１３ｃとを有している。また、この円盤部１３ｃの一面側と他面側に、第１の摺動子１４と第２の摺動子１５が設けられており、図２に示すように、前記抵抗基板５と前記接点基板１０とが、前記摺動子受け１３を介して対向して配設されるものとなっている。
【００４５】
前記第１、及び第２の摺動子１４、１５は、弾性を有する導電性の金属薄板から形成され、略円環状をしており、前記摺動子受け１３の円盤部１３ｃに固着される基部１４ａ、及び１５ａと、この基部１４ａ、及び１５ａからやや内径側に切り起こされた一対の第１接片１４ｂ、及び１５ｂと、その外径側に２重の円弧状に切り起こされた第２接片１４ｃ、及び１５ｃとを有している。そして、前記第１の摺動子１４と前記第２の摺動子１５とが、同一形状からなる共通部品で形成されている。
【００４６】
前記摺動子受け１３は、前記軸部１３ｂの嵌合孔１３ａが前記回転軸２の駆動部２ｅに嵌合されて、前記保持部材４の収容凹部４ｂと前記接点基板１０の収容凹部１０ｂとで形成される収容空間に回転可能に収容されている。そして、前記円盤部１３ｃの一面側に設けられた前記第１の摺動子１４の第１接片１４ｂが、前記保持部材４に埋設された前記抵抗基板５の導電体パターン７と摺接し、前記第１の摺動子１４の第２接片１４ｃが、前記抵抗基板５の抵抗体パターン６と摺接するものとなる。また、前記円盤部１３ｃの他面側に設けられた前記第２の摺動子１５の第１接片１５ｂが、前記接点基板１０に露出して設けられた前記コモンパターン１１ｂと摺接し、前記第２の摺動子１５の第２接片１５ｃが、前記接点基板１０の接点パターン１１ａと摺接するものとなっている。
【００４７】
尚、前記摺動子受け１３の軸部１３ｂの一端側（前方側）には、段差を設けることにより、円形状の小径部１３ｄが形成されており、この小径部１３ｄが前記保持部材４の挿通孔４ａに回転可能にガイドされており、これにより、摺動子受け１３の回転を安定したものとしている。
【００４８】
このように、前記第１の摺動子１４と前記第２の摺動子１５を、前記摺動子受け１３の一面側と他面側に設ける共に、前記抵抗基板５と前記接点基板１０とを、前記摺動子受け１３を介して対向して設けるようにしたので、前記第１と第２の摺動子１４、１５の摺動子受け１３を別途設けることなく共用できるため、小型化が可能となり、安価対応が図れるものとなる。また、前記第１の摺動子１４と第２の摺動子１５を、同一形状からなる共通部品で形成したので、部品の共用化が図れ、安価化が可能となっている。
【００４９】
また、前記接点基板１０の後端側には、ハウジングの一部を構成する矩形状の金属板等からなる取付板１６が複数の取付ピン１８により取り付けられている。前記取付ピン１８によって、前記取付板１６と前記軸受け１との間に、前記保持部材４及び前記接点基板１０が挟持されて保持されることにより、本発明のスイッチ付き可変抵抗器のハウジングが構成されている。
【００５０】
本発明のスイッチ付き可変抵抗器は、上記構成となっており、回転末端近傍に位置する前記回転軸２が一方向（例えば、時計方向）に回転操作されると、クリック部を構成する、回転軸２の台座部２ｄに取り付けられた前記クリック板１７の係合部１７ｃ、１７ｄと、前記保持部材４の収容凹部４ｃに設けられたクリック用凸部４ｄ、４ｅが係合し、クリック板１７の係合部１７ｃ、１７ｄがクリック用凸部４ｄ、４ｅを乗り越えることにより、スイッチオン時のクリック感触が得られるものとなる。そして、クリック感触が生起された際に、スイッチ部を構成する、前記接点基板１０に設けられた接点パターン１１ａ及びコモンパターン１１ｂが、前記摺動子受け１３に設けられた前記第２の摺動子１５と摺接し、該第２の摺動子１５を介して導通することによりスイッチ（ロータリースイッチ）がオン状態となる。
【００５１】
次に、前記回転軸２が、更に一方向に回転操作されると、可変抵抗器部を構成する、前記保持部材４に埋設された前記抵抗基板５の抵抗体パターン６及び導電体パターン７が、前記摺動子受け１３に設けられた前記第１の摺動子１４と摺接して、抵抗体パターン６の設定抵抗値が変動するようになっている。そして、回転軸２が所定の回転角度に達した時、前記回転軸２と前記軸受け１に設けられた前記ストッパー部２ｆと１ｃとが当接してそれ以上の回転が規制されるものとなる。
また、スイッチがオン状態の位置から、回転軸２が他方向（例えば、反時計回り方向）に回転操作されると、係合部１７ｃ、１７ｄがクリック用凸部４ｄ、４ｅを乗り越えることにより、クリック感触を伴ってスイッチがオフ状態（接点パターン１１ａとコモンパターン１１ｂとが非導通の状態）となる。この状態から、さらに回転軸２を他方向へ回転させようとすると、ストッパー部２ｆと１ｃとが当接し、回転軸２のそれ以上の回転が規制される。
【００５２】
本発明の上記実施例によれば、前記回転軸２の回転に伴って回転するクリック部材の係合部１７ｃ、１７ｄと係脱してクリック感触を生起する前記クリック用凸部４ｄ、４ｅと、前記第１の摺動子１４が摺接する抵抗体パターン６が形成された前記抵抗基板５と、前記回転軸２の回転末端近傍で動作するロータリースイッチとを備え、ロータリースイッチは、固定接点１１が形成された前記接点基板１０と、前記回転軸２の回転に伴って回転する前記第２の摺動子１５とからなり、前記回転軸２を回転させると、前記第２の摺動子１５が前記接点基板１０上を摺動してスイッチの切換が行われると共に、前記クリック部材の係合部１７ｃ、１７ｄが前記クリック用凸部４ｄ、４ｅと係脱してスイッチ切換時のクリック感触が生起されるようにしたことから、ロータリースイッチは前記接点基板１０と前記第２の摺動子１５とからなり、自身ではクリック感触を生起する構成を備えていないので、よって、前記クリック部材の係合部１７ｃ、１７ｄとクリック用凸部４ｄ、４ｅとから違和感のない良好なクリック感触を得ることができるものとなる。また、ロータリースイッチの構成が簡単となり薄型にできるため、スイッチ付き可変抵抗器全体の軸線方向の小型化を図ることができるものとなっている。
【００５３】
また、クリック部材は、前記回転軸２と共に回転可能な前記クリック板１７と板ばね３からなり、前記クリック板１７に係合部１７ｃ、１７ｄを突出形成し、該クリック板１７を前記板ばね３により軸線方向に弾性付勢させたことから、板ばね３を変更することにより、クリック感触のバラエティー対応が容易に行えるものとなっている。
【００５４】
図１９乃至図２８は、本発明のスイッチ付き可変抵抗器の第２の実施例を示している。図１９は本発明の第２の実施例に係るスイッチ付き可変抵抗器を示す概略断面図、図２０は図１９の２０−２０線における断面図、図２１は図１９の２１−２１線における断面図、図２２は本発明の第２の実施例に係るスイッチ付き可変抵抗器の回転軸とクリック用板ばねを示す正面図、図２３は図２２に示す回転軸の右側面図、図２４は図２２の左側面図、図２５は本発明の第２実施例に係るスイッチ付き可変抵抗器の保持部材を示す右側面図、図２６は本発明の第２実施例に係るスイッチ付き可変抵抗器のクリック機構を示す説明図、図２７は第１の摺動子を省略して示す図１９の２７−２７線における断面図、図２８は摺動子受け、第２の摺動子及び回転軸（駆動部）を省略して示す図１９の２８−２８線における断面図である。
【００５５】
上記した本発明の第１の実施例と本実施例とで異なるのは、クリック部材の構成が一部相違している点である。すなわち、本実施例においては、クリック部材は回転軸２と共に回転可能な一枚のクリック用板ばね１９からなり、該クリック用板ばね１９に係合部１９ｄを突出形成し、該クリック用板ばね１９を軸線方向に弾性付勢させるようにしている。
尚、上記の本発明の第１の実施例で説明した同一構成部品については同一符号を付してその説明は省略する。
【００５６】
本実施例では、図２２、図２４に示すように、回転軸２の基盤部２ｃには、クリック用板ばね１９が取り付けられている。このクリック用板ばね１９は、弾性を有する金属板からなり、略円環状をしており、基盤部２ｃに固着される基部１９ａと、この基部１９ａからスリット１９ｂを介して切り起こされた円弧状のクリック片１９ｃとを有している。また、このクリック片１９ｃの中央で切り起こし先端部には、凸状の膨出部からなる係合部１９ｄが形成されている。
【００５７】
前記クリック用板ばね１９の基部１９ａが前記基盤部２ｃに取付けられた際には、前記クリック片１９ｃが基盤部２ｃの平面に対して一定の角度をもって起立された状態となり、図１９に示すように、回転軸２がハウジングに組み込まれた時には、基盤部２ｃが軸受け１と保持部材４との間に挟持されることにより、クリック片１９ｃが撓むものとなり、中央の凸状の係合部１９ｄが保持部材４の収納凹部４ｃに弾性付勢されるものとなる。
【００５８】
そして、前記回転軸２が回転操作される際には、前記クリック用板ばね１９の係合部１９ｄと前記保持部材４の収容凹部４ｃ内に突出して設けられたクリック用凸部４ｄとが係脱して、前記回転軸２が回転された際のクリック感触を生起させるものとなっている。
尚、本実施例では、前記クリック用凸部４ｄは一つだけ形成する構成（図２５参照）となっているが、上記した第１の実施例と同様に２個設けるようにしても良い。
【００５９】
本実施例のスイッチ付き可変抵抗器は、上記構成となっており、同様に、前記回転軸２が回転操作されると、クリック部を構成する、回転軸２の基盤部２ｃに取り付けられた前記クリック用板ばね１９のクリック片１９ｃ（係合部１９ｄ）と、前記保持部材４の収容凹部４ｃに設けられたクリック用凸部４ｄが係合し、クリック片１９ｃの係合部１９ｄがクリック用凸部４ｄを乗り越えることにより、スイッチオン時のクリック感触が得られるものとなる。そして、クリック感触が生起された際に、スイッチ部を構成する、接点基板１０に設けられた接点パターン１１ａ及びコモンパターン１１ｂが、摺動子受け１３に設けられた第２の摺動子１５と摺接して導通することによりスイッチがオン状態となる。
【００６０】
また、前記回転軸２が、更に回転操作されると、可変抵抗器部を構成する、前記保持部材４に埋設された抵抗基板５の抵抗体パターン６及び導電体パターン７が、前記摺動子受け１３に設けられた第１の摺動子１４と摺接して、抵抗体パターン６の設定抵抗値が変動するようになっている。そして、回転軸２が所定の回転角度に達した時、前記回転軸２と前記軸受け１に設けられたストッパー部２ｆと１ｃとが当接してそれ以上の回転が規制されるものとなる。
【００６１】
本発明の上記実施例によれば、前記クリック部材は、前記回転軸２と共に回転可能な、弾性を有する金属板からなるクリック用板ばね１９で構成されており、このクリック用板ばね１９のクリック片１９ｃに係合部１９ｄを突出形成し、このクリック用板ばね１９のクリック片１９ｃを前記回転軸２の軸線方向に弾性付勢させるようにしたので、前記クリック部材を一部品で形成でき、構造が簡易となり、安価化が図れるものとなっている。
【図面の簡単な説明】
【００６２】
【図１】本発明の第１の実施例に係るスイッチ付き可変抵抗器を示す分解斜視図である。
【図２】本発明の第１の実施例に係るスイッチ付き可変抵抗器を示す概略断面図である。
【図３】本発明の図２の３−３線における断面図である。
【図４】本発明の図２の４−４線における断面図である。
【図５】本発明の第１の実施例に係るスイッチ付き可変抵抗器の回転軸と板ばねを示す正面図である。
【図６】本発明の図５に示す回転軸の右側面図である。
【図７】本発明の図５の左側面図である。
【図８】本発明の図５の回転軸と板ばねを他の方向から見た部分説明図である。
【図９】本発明の第１の実施例に係る板ばねの載置部側から見た回転軸を示す斜視図である。
【図１０】本発明の第１の実施例に係る板ばねの弾性腕とクリック板との突出部の配置状態を示す分解斜視図である。
【図１１】本発明の第１の実施例に係る板ばねを示し（ａ）は平面図、（ｂ）は側面図である。
【図１２】本発明の第１の実施例に係るクリック板を示し（ａ）は平面図、（ｂ）は底面図である。
【図１３】本発明の第１の実施例に係るスイッチ付き可変抵抗器の保持部材を示す右側面図である。
【図１４】本発明の第１の実施例に係るスイッチ付き可変抵抗器のクリック機構を示す説明図である。
【図１５】本発明の第１の実施例に係るスイッチ付き可変抵抗器の保持部材を示す左側面図である。
【図１６】本発明の第１の実施例に係るスイッチ付き可変抵抗器の接点基板を示す右側面図である。
【図１７】本発明の第１の実施例に係るスイッチ付き可変抵抗器の摺動子受けと第１、第２の摺動子を示す正面図である。
【図１８】図１７の右側面図である。
【図１９】本発明の第２の実施例に係るスイッチ付き可変抵抗器を示す概略断面図である。
【図２０】本発明の図１９の２０−２０線における断面図である。
【図２１】本発明の図１９の２１−２１線における断面図である。
【図２２】本発明の第２の実施例に係るスイッチ付き可変抵抗器の回転軸とクリック用板ばねを示す正面図である。
【図２３】本発明の図２２に示す回転軸の右側面図である。
【図２４】本発明の図２２の左側面図である。
【図２５】本発明の第２の実施例に係るスイッチ付き可変抵抗器の保持部材を示す右側面図である。
【図２６】本発明の第２の実施例に係るスイッチ付き可変抵抗器のクリック機構を示す説明図である。
【図２７】本発明の第１の摺動子を省略して示す図２の２７−２７線における断面図である。
【図２８】本発明の摺動子受け、第２の摺動子及び回転軸を省略して示す図２の２８−２８線における断面図である。
【図２９】従来のスイッチ付き可変抵抗器を示す断面図である。
【図３０】従来のスイッチ付き可変抵抗器のスイッチ部を示す平面図である。
【図３１】従来のスイッチ付き可変抵抗器のクリック機構を示す動作説明図である。
【符号の説明】
【００６３】
１：軸受け（ハウジング）
１ａ：筒状部
１ｂ：凹部
１ｃ：ストッパー部
２：回転軸
２ａ：軸部
２ｂ：操作部
２ｃ：基盤部
２ｄ：台座部
２ｅ：駆動部
２ｆ：ストッパー部
２ｇ：取付面
３：板ばね
３ａ：角孔
３ｂ：第１環状部
３ｃ：スリット
３ｄ：弾性腕
４：保持部材（ハウジング）
４ａ：挿通孔
４ｂ：収容凹部
４ｃ：収容凹部
４ｄ：クリック用凸部
４ｅ：クリック用凸部
５：抵抗基板
６：抵抗体パターン
７：導電体パターン
８：接続端子
９：接続端子
１０：接点基板（ハウジング）
１０ａ：挿通孔
１０ｂ：収容凹部
１１：固定接点
１１ａ：接点パターン
１１ｂ：コモンパターン
１２ａ：接続端子
１２ｂ：接続端子
１３：摺動子受け
１３ａ：嵌合孔
１３ｂ：軸部
１３ｃ：円盤部
１３ｄ：小径部
１４：第１の摺動子
１４ａ：基部
１４ｂ：第１接片
１４ｃ：第２接片
１５：第２の摺動子
１５ａ：基部
１５ｂ：第１接片
１５ｃ：第２接片
１６：取付板（ハウジング）
１７：クリック板
１７ａ：角孔
１７ｂ：突起
１７ｃ：係合部
１７ｄ：係合部
１８：取付ピン
１９：クリック用板ばね
１９ａ：基部
１９ｂ：スリット
１９ｃ：クリック片
１９ｄ：係合部
【図１】
2006173570.tif 000003
【図２】
2006173570.tif 000004
【図３】
2006173570.tif 000005
【図４】
2006173570.tif 000006
【図５】
2006173570.tif 000007
【図６】
2006173570.tif 000008
【図７】
2006173570.tif 000009
【図８】
2006173570.tif 000010
【図９】
2006173570.tif 000011
【図１０】
2006173570.tif 000012
【図１１】
2006173570.tif 000013
【図１２】
2006173570.tif 000014
【図１３】
2006173570.tif 000015
【図１４】
2006173570.tif 000016
【図１５】
2006173570.tif 000017
【図１６】
2006173570.tif 000018
【図１７】
2006173570.tif 000019
【図１８】
2006173570.tif 000020
【図１９】
2006173570.tif 000021
【図２０】
2006173570.tif 000022
【図２１】
2006173570.tif 000023
【図２２】
2006173570.tif 000024
【図２３】
2006173570.tif 000025
【図２４】
2006173570.tif 000026
【図２５】
2006173570.tif 000027
【図２６】
2006173570.tif 000028
【図２７】
2006173570.tif 000029
【図２８】
2006173570.tif 000030
【図２９】
2006173570.tif 000031
【図３０】
2006173570.tif 000032
【図３１】
2006173570.tif 000033